(57)【要約】      （修正有）【課題】上方へ流れる空気を利用する薬剤揮散装置を提供する。【解決手段】薬剤揮散装置は上方に流れる空気を利用するもので、下方に開口し前記空気が流入する流入口、及び当該流入口とは異なる向きに開口する前記空気の排出口２１７を有するとともに、前記流入口及び排出口を介して外部と連通する内部空間を有する筐体２と、前記筐体の内部空間に収容される薬剤と、前記薬剤と前記流入口との間に隙間を形成する隙間形成部と、を備え、前記排出口と前記隙間とが連通している。【選択図】図３
2014012050.tif 000002
【特許請求の範囲】
【請求項１】
上方に流れる空気を利用した薬剤揮散装置であって、
下方に開口し前記空気が流入する流入口、及び前記流入口とは異なる向きに開口する前記空気の排出口を有するとともに、前記流入口及び排出口を介して外部と連通する内部空間を有する筐体と、
前記筐体の内部空間に収容される薬剤と、
前記薬剤と前記流入口との間に隙間を形成する隙間形成部と、
を備え、
前記排出口と前記隙間とが連通している、薬剤揮散装置。
【請求項２】
前記筐体に収容され、前記薬剤を収容し、開口部を有する収容部材をさらに備え、
前記収容部材は、前記開口部が前記流入口側を向くように前記筐体内に支持される、請求項１に記載の薬剤揮散装置。
【請求項３】
前記収容部材の開口部を取り外し可能に塞ぐ蓋部材と、をさらに備え、
前記蓋部材の一部は、前記排出口から前記筐体の外部に突出している、請求項２に記載の薬剤揮散装置。
【請求項４】
前記流入口から前記薬剤に向かう第１方向と直交する第２方向に沿って、前記隙間が延びており、
前記筐体の内壁面と前記隙間とが交わる箇所に、前記排出口が形成されている、請求項３に記載の薬剤揮散装置。
【請求項５】
前記隙間形成部は、
前記収容部材を支持することで前記隙間を形成する、少なくとも１つの支持部材を備えている、請求項２から４のいずれかに記載の薬剤揮散装置。
【請求項６】
前記隙間形成部は、
前記薬剤を支持する少なくとも１つの支持部材を備えている、請求項１から４のいずれかに記載の薬剤揮散装置。
【請求項７】
前記筐体の向き及び位置の少なくとも一方を調整可能な調整機構をさらに備えている、請求項１から６のいずれかに記載の薬剤揮散装置。
【発明の詳細な説明】
【技術分野】
【０００１】
上方に流れる空気を利用した薬剤揮散装置に関する。
【背景技術】
【０００２】
従来より、排出される空気を利用した種々の薬剤揮散装置が提案されている。例えば、特許文献１の装置は、車内に設置されるものであり、特に、水平に空気を吹き出すエアコンの排気口に取り付けられる。この装置には、芳香剤が収容されるとともに、空気の流入口及び排出口が設けられている。そして、エアコンの排気口から排出される空気を流入口から受け入れ、この空気を芳香剤に接触させた後、排出口から排出するように構成している。これにより、排出される空気とともに芳香成分を装置の外部に放出することができる。
【先行技術文献】
【特許文献】
【０００３】
【特許文献１】特開２０００−２０２０１４号公報
【発明の概要】
【発明が解決しようとする課題】
【０００４】
ところで、上記特許文献１に記載の芳香容器は、水平に空気を吹き出す排気口に取り付けられるが、自動車の中にはデフロスターの排気口のように、上方へ流れる空気を吹き出す箇所があり、このような空気も芳香や消臭作用に利用することも考えられる。また、上方へ流れる空気は、デフロスターの排気口のほか、自動車以外でも散見され、例えば、床に設置されるエアコンなど、種々の装置に設けられている。そして、このような空気の流れは、芳香や消臭作用に効果的に利用可能と考えられるが、これを利用した装置は未だ提案されていない。そこで、本発明は、上記問題を解決するためになされたものであり、上方へ流れる空気を利用する薬剤揮散装置を提供することを目的とする。
【課題を解決するための手段】
【０００５】
本発明は、上方に流れる空気を利用した薬剤揮散装置であって、下方に開口し前記空気が流入する流入口、及び前記流入口とは異なる向きに開口する前記空気の排出口を有するとともに、前記流入口及び排出口を介して外部と連通する内部空間を有する筐体と、前記筐体の内部空間に収容される薬剤と、前記薬剤と前記流入口との間に隙間を形成する隙間形成部と、を備え、前記排出口と前記隙間とが連通している。
【０００６】
本発明は、上方に流れる空気を利用するために、この空気を取り込む流入口を下向きに形成している。そして、流入口から筐体内へ流入する空気を薬剤に効率的に接触させるためには、流入口の上方に薬剤を配置する必要があるが、このようにすると、薬剤が自重によって下方に移動し、流入口を塞ぐおそれがある。そこで、本発明では、流入口と薬剤との間に隙間形成部を設けることで、これらの間に隙間を形成し、この隙間が排出口と連通するように構成している。そのため、薬剤によって流入口が塞がれるのを防止するとともに、流入口、隙間、排出口をこの順で流れる空気の流路を確保することができる。したがって、本発明では、空気の流れを阻害することなく、上方へ流れる空気を効果的に利用することができる。なお、本発明において、流入口の向きは「下方」であるが、これは厳密な鉛直下向きを指すのではなく、上方に向かう空気を流入可能な限りにおいて下向きであればよく、鉛直下向きを挟んで、例えば、０〜１５０度程度の範囲内の向きになっていればよい。
【０００７】
上記薬剤揮散装置において、排出口を設ける位置は、流入口とは異なる向きに開口する限りは、特には限定されないが、例えば、流入口と反対側、つまり上方に向かって開口する排出口を設けると、空気を装置よりも上方に放出することができ、薬剤成分を効果的に拡散させることができる。なお、排出口の向きは厳密な上方でなくてもよく、斜め上方（鉛直上向きを挟んで、例えば、０〜１５０度の範囲内の向き）であっても同様の効果を得ることができる。
【０００８】
上記各薬剤揮散装置においては、薬剤を直接筐体に収容することもできるが、例えば、筐体に収容され、薬剤を収容し、開口部を有する収容部材をさらに設けることができる。このとき、収容部材は、開口部が流入口側を向くように筐体内に支持される。これにより、液体状、ゲル状の薬剤を収容部材に配置した上で、筐体内に収容することができる。
【０００９】
上記のように、収容部材を設ける場合、この収容部材の開口部を取り外し可能に塞ぐ蓋部材をさらに設けることができる。そして、収容部材を、開口部が流入口側を向くように筐体内に支持し、蓋部材の一部を、排出口から筐体の外部に突出させるように構成することができる。このようにすると、排出口から突出した蓋部材の一部を引っ張ることで、蓋部材を取り外すことができるため、蓋部材を取り外すために、筐体を分解する手間を省くことができる。
【００１０】
このとき、例えば、流入口から薬剤に向かう第１方向と直交する第２方向に沿って、隙間を延ばし、筐体の内壁面と隙間とが交わる箇所に、排出口を形成することができる。このようにすると、蓋部材を第２方向に沿って延ばすことができるため、蓋部材の取り付け方向と蓋部材を取り外す方向とがおおむね一致するため、蓋部材の取り外しが容易になる。なお、ここでいう「直交」とは厳密な直交を意味するのではなく、空気の流れがスムーズである限りは、直交から多少ずれたものも含まれる。
【００１１】
上記各薬剤揮散装置において、隙間形成部は、種々の構成にすることができる。例えば、隙間形成部を薬剤と同一の材料で形成し、薬剤と一体化した形態にすることもできる。このような形態としては、例えば、薬剤に突起を設け、この突起を隙間形成部とすることができる。また、隙間形成部が、収容部材を支持することで隙間を形成する、少なくとも１つの支持部材を備えることができる。薬剤が液体やゲル状である場合には、これを直接支持することが難しいため、収容部材を支持して隙間を形成することができる。但し、液体やゲル状以外の薬剤でも当然に適用することができる。
【００１２】
また、例えば、薬剤が固形である場合には、隙間形成部は、薬剤を支持する少なくとも１つの支持部材を備えることができる。なお、上述した収容部材を支持する支持部材によって薬剤を支持することもできるし、薬剤を支持する支持部材によって収容部材を支持するように構成することもできる。また、収容部材用、及び薬剤用の支持部材を個別に設けることもできる。
【００１３】
上記各薬剤揮散装置においては、筐体の向き及び位置の少なくとも一方を調整可能な調整機構をさらに設けることができる。これにより、上方に向かう空気に対して、流入口を適切な位置又は角度に調節することができるため、空気を効率的に流入させることができる。
【００１４】
第２の本発明は、自動車のデフロスター等の上方に向かって排気口から排出される空気を利用する薬剤揮散装置であって、前記薬剤を収容し、空気の流入口及び排出口を有するとともに、前記流入口及び排出口を介して外部と連通する内部空間を有する筐体と、前記筐体の内部空間に収容される薬剤と、前記自動車内に着脱可能に固定される設置部と、前記設置部に対する前記筐体の角度及び位置の少なくとも一方を調整可能な調整機構と、を備えている。
【００１５】
この構成によれば、装置を、薬剤を収容する筐体と、自動車内等に着脱可能に固定される設置部とに分割し、一体的な構造よりも小型化しているため、狭い空間にも配置することができる。また、調整機構により、設置部に対する筐体の角度及び位置の少なくとも一方を調整できるため、デフロスターの排気口等に対し、筐体の流入口の位置又は角度を調整することができる。これにより、排気口からの空気を筐体の流入口へ効果的に流入させることができ、良好な揮散作用を得ることができる。
【００１６】
上記各薬剤揮散装置において、調整機構は種々の構成を取ることができるが、例えば、設置部と筐体とを連結する連結部材を備え、この連結部材を設置部に対して傾動可能に構成することができる。このようにすると、連結部材を傾動させることで、筐体と排気口との距離を調整できるほか、排気口に対する筐体の角度も調整することができ、筐体の流入口に対して効果的に空気が流入するように調整することができる。
【００１７】
上記各薬剤揮散装置においては、連結部材を設置部に対して着脱自在に取り付けるように構成することができる。このようにすると、次の効果を得ることができる。設置部は自動車内等に着脱自在に取り付けられるものであり、例えば、両面テープなどで取り付けられることが多い。しかし、この装置を交換する際、設置部を取り外すと両面テープの跡が残り、設置面が汚れるおそれがある。そこで、連結部材を設置部から取り外し可能にすると、設置部を自動車内等に残したまま、薬剤の交換が可能となり、両面テープの跡が残るのを防止することができる。
【００１８】
上記調整機構は、連結部材が設置部に対して所定の角度範囲にあるときに、当該連結部材を設置部から取り外し不能に規制し、角度範囲外にあるときに連結部材が設置部から取り外し可能とする規制部を備えることができる。上記のように、連結部材は、設置部に対して傾動可能となっているが、通常、使用される傾斜範囲において取り外し不能にしておけば、使用中に連結部材が設置部から取り外されるのを防止することができる。
【００１９】
また、上記各薬剤揮散装置においては、上記流入口に設けられた弁部材をさらに備えることができる。この弁部材は、流入口を塞ぐ閉位置と、筐体の外部からの正圧によって流入口を開く開位置とを取り得ることができる。これにより、流入口に空気が流入しないときは、弁部材によって流入口が塞がれるため、不使用時に薬剤成分が余分に放出されるのを防止することができる。
【発明の効果】
【００２０】
上記のように、本発明によれば、上方へ流れる空気を利用する薬剤揮散装置を提供することができる。
【図面の簡単な説明】
【００２１】
【図１】本発明の一実施形態に係る薬剤揮散装置の斜視図である。
【図２】図１の平面図である。
【図３】図２の側面図である。
【図４】図２のＡ−Ａ線断面図である。
【図５】図２のＢ−Ｂ線断面図である。
【図６】基部２１の内面の平面図である。
【図７】収容部材及び薬剤の斜視図である。
【図８】連結部材の一部及び設置部の斜視図である。
【図９】図１に示す薬剤揮散装置の使用方法を示す断面図である。
【図１０】調整機構の他の例を示す概略図である。
【図１１】調整機構の他の例を示す概略図である。
【図１２】筐体の他の例を示す断面図である。
【図１３】流入口及びその周辺の他の例を示す断面図である。
【発明を実施するための形態】
【００２２】
以下、本発明に係る薬剤揮散装置の一実施形態について、図面を参照しつつ説明する。図１は本実施形態に係る薬剤揮散装置の斜視図、図２は図１の平面図、図３は図２の側面図、図４は図２のＡ−Ａ線断面図、図５は図２のＢ−Ｂ線断面図である。以下の説明では、便宜上、図１の上下方向を「上下」と称することがある。また、長手方向、これと直交する方向を幅方向ということがある。
【００２３】
本実施形態に係る薬剤揮散装置は、上方に流れる空気を利用して芳香成分や消臭成分を揮散させるものであり、例えば、自動車内のデフロスターの排気口、床に設置されるエアコンの排気口などから排出される空気を利用することができる。すなわち、この装置は、これら排気口の近傍に配置され、排出される空気を流入し、薬剤と接触させた後、この空気を排出して芳香成分等を揮散させる。以下、具体的に説明する。
【００２４】
図１〜図５に示すように、この薬剤揮散装置は、上述した排気口Ｃの近傍に設置される設置部１と、薬剤が収容された筐体２とを備えており、これらが連結部材３によって連結されている。これら設置部１、筐体２及び連結部材３は、プラスチック樹脂などで形成されている。また、筐体２の内部には、薬剤４、及びこの薬剤を収容する収容部材５が配置されている。まず、筐体から説明する。
【００２５】
筐体２は、一方向に延びる長方形状に形成されており、カップ状に形成された基部２１と、これを覆う蓋部２２とで構成されている。なお、筐体２の形状はこれには限定されず、例えば楕円状など、種々の形状にすることができる。そして、これら基部２１と蓋部２２とが合わさることで内部に薬剤が収容される内部空間Ｓが形成される。基部２１は、デフロスターやエアコンにおいて空気が排出される排気口Ｃと対向するように、筐体２の下側に配置される。また、この基部２１は、平坦な底面部２１１と、この底面２１１の周縁から立ち上がる側面部２１２とを有し、全体的にカップ状に形成されている。底面部２１１には、長手方向に、一直線上に並ぶ複数の流入口２１３が形成されている（本実施形態では流入口２１３は複数設けられているが、１つでもよい）。これら流入口２１３は、線状に延びる長方形状に形成されており、内部空間Ｓと外部とを連通している。なお、内部空間Ｓとは、筐体２の内部に形成されて薬剤４を収容する空間であり、少なくとも一部が、流入口２１３から流入した空気が薬剤４に接触した後に、排出口２１７から排出されるような空間であればよい。
【００２６】
図６は、基部２１の内面の平面図である。基部２１の内面には、各流入口２１３を挟むように、各一対の第１突起（支持部材）２１４が形成されている。この第１突起２１４は、使用前の図４及び図５に示す状態では、薬剤４から離間しているが、図９に示すように、使用時には薬剤４を支持するようになっている。流入口２１３を挟んで配置される第１突起２１４の間隔Ｘ１は、後述するように、薬剤４の幅方向の長さＤよりも小さくなっている。また、底面部２１１と側面部２１２との連結部分には、複数箇所において第２突起（支持部材）２１５が形成されている。この第２突起２１５は、後述するように、使用時に収容部材５を支持するようになっているが（図９参照）、使用前において支持してもよい。第２突起２１５は、底面から垂直に立ち上がる板状に形成されており、第１突起２１４よりも外側で各流入口２１３を挟むように配置されている。流入口２１３を挟んで配置される第２突起２１５間の間隔Ｘ２は、後述する収容部材５の幅Ｄ２よりも小さくなっている。また、第２突起２１５の底面部２１１からの高さは、第１突起２１４の高さよりも大きくなっている。なお、本実施形態では第１及び第２突起２１４、２１５を複数箇所に設けているが、１つでもよい
【００２７】
側面部２１２の幅方向の一端部には、板状の連結部材３が一体的に取り付けられており、この連結部材３を挟むように、側面部２１２の上端部には、外部へ突出する一対の係合片２１６が設けられている。また、側面部２１２の他端部には、連結部材３と対向する位置に一つの係合片２１６が設けられている。そして、これら係合片２１６は、後述するように、蓋部２２の開口周縁に設けられた凹部２２２に嵌まるようになっている。また、基部２１の側面において、長手方向の一方には、矩形状に切り欠かれた排出口２１７が形成されている。
【００２８】
次に、蓋部２２について説明する。蓋部２２は、上述したように、長手方向に延びるカップを逆さにした形状に形成されており、外表面は曲面をなすようにドーム状に形成されている。蓋部２２の内面には、後述する収容部材５を固定するための一対の位置決め部材２２１が取り付けられている。これら位置決め部材２２１は、蓋部２２の長手方向の両端部に取り付けられており、その間隔は収容部材５の長手方向の長さより若干大きくされている。また、各位置決め部材２２１は、収容部材５を挟むように、幅方向の両端がやや傾斜した平面視Ｕ字型の板状に形成されている。また、蓋部２２の開口周縁には、上述したように、基部２１の係合片２１６が嵌まる凹部２２２が３箇所に形成されている。
【００２９】
次に、筐体２の内部に配置される収容部材５について、図７を参照しつつ説明する。図７は収容部材及び薬剤の斜視図である。同図に示すように、この収容部材５は、プラスチックなどの樹脂材料で形成され、長手方向に延び直方体状の収容空間を有するカップ状に形成された基台部５１と、この基台部５１の開口周縁に形成されたフランジ部５２とで構成されている。筐体２の内部において、この収容部材５は、基台部５１の開口が、筐体２の流入口２１３と対向するような向きに配置されている。このとき、フランジ部５２が第２突起２１５に載るように筐体２内に配置される。また、基台部５１の収容空間には、棒状に形成された固形の薬剤４が収容されている。この薬剤４は、芳香成分及び消臭成分の少なくとも一方を含有し、これらの成分を揮散する公知の薬剤である。そして、基台部５１に薬剤４が収容された状態で、フランジ部５２には、基台部５１の開口を覆うように、樹脂フィルムなどで形成された蓋部材７が取り付けられている。蓋部材７は、例えば、熱融着などによってフランジ部５２に取り付けられており、力を加えることよってフランジ部５２から取り外せるようになっている。また、蓋部材７は、基台部５１に沿って長手方向に延びるとともに、さらに基台部５１から長手方向に突出し、排出口２１７から外部へと延びている。なお、図５に示すように、流入口２１３から４薬剤に向かう方向Ｈが本発明の第１方向に相当し、これと直交する方向Ｇが本発明の第２方向に相当する。
【００３０】
続いて、設置部１及び連結部材３について説明する。図４に示すように、連結部材３は、中間部分が屈曲した板状に形成された本体部３１を有し、その一端部が筐体２に一体的に連結されるとともに、他端部が設置部１に傾斜可能にされている。本体部３１の他端部には、円筒状の回転部材３２が取り付けられている。より詳細には、本体部３１は、回転部材３２の外周面に一体的に固定されており、回転部材３２の軸心Ｚが筐体２の長手方向と平行に延びるように構成されている。回転部材３２の外周面には、軸心Ｚと平行に延びる凸条３２１が所定間隔をおいて形成されている（図８参照）。すなわち、回転部材３２の外周面には多数の凹凸が形成されている。また、回転部材３２の軸心Ｚの両端には、外形が円筒状の支持部３３が設けられている。
【００３１】
図８は、連結部材の一部及び設置部の斜視図である。同図に示すように、設置部１は、球体を４分の１に分割したような形状を有している。すなわち、設置面に配置される半円状の基面１１と、この基面１１から垂直に立ち上がり、上記回転部材３２が挿入される半円状の取り付け面１２と、これら基面１１と取り付け面１２とを連結する球面状の外周面１３とを有している。取り付け面１２には、組み立て時に、連結部材３を挿入するための挿入通路１２１が形成されている。この挿入通路１２１は、回転部材３２が挿入される第１通路１２１１と、この第１通路１２１１の両側に隣接し支持部３３が挿入される一対の第２通路１２１２とで構成されている。第２通路１２１２は、入り口付近の高さＫ１が支持部３３の径よりも若干小さくなっており、奥端付近の高さＫ２が支持部３３の径よりも大きくなっている。これにより、支持部３３を弾性変形させながら、奥端付近まで押し込むようになっている。すなわち、入り口付近は支持部３３の抜け止めを構成し、奥端部において支持部３３は回転可能となっている。
【００３２】
また、第１通路１２１１の奥端部まで押し込まれた回転部材３２は、この位置で軸心Ｚ周りに回転可能となっている。また、第１通路１２１１の奥端面には、突起１２２が形成されており、この突起１２２が回転部材３２の凸条３２１と係合するようになっている。そのため、回転部材３２を設置部１内で回転させるには、回転部材３２と突起１２２との係合による抵抗に抗して力を加えて回転させる必要がある。そのため、力を加えないときには、回転部材３２を所望の回転位置に保持することができる。さらに、第１通路１２１１は、取り付け面１２から外周面１３に亘って開口しており、これにより、連結部材３の本体部３１が、取り付け面１２から外周面１３に亘って約９０度、旋回できるようになっている。なお、上記のような連結部材３が設置部１に対して傾斜可能とするための連結部材３と設置部１の機構が、本発明の調整機構に相当する。
【００３３】
次に、上記のように構成された薬剤揮散装置の使用方法について説明する。まず、筐体２の排出口２１７から突出した蓋部材７の端部を引っ張り、収容部材５から蓋部材７を取り外す。これにより、図９に示すように、薬剤４が筐体２の内部に露出する。このとき、薬剤４は自重により流入口２１３側へ移動するが、第１突起２１４により支持され、薬剤４と流入口２１３との間には隙間Ｓ１が形成される。また、収容部材５は、第２突起２１５に支持されているため、収容部材５と流入口２１３との間にも隙間が形成される。続いて、デフロスターの排気口、エアコンの排気口の近傍など、所望の設置面に設置部１を取り付ける。設置部１の取付には、例えば、両面テープなどを設置部１の基面１１に取り付けることができる。設置が完了すると、連結部材３の設置部１に対する角度を調整し、筐体２の流入口２１３が排気口Ｃと対向するようにする。こうして、装置を設置した後、排気口Ｃから空気が排出されると、この空気は流入口２１３から筐体２の内部に流入する。この空気は、流入口２１３と対向する薬剤４に接触した後、筐体２の内壁面と薬剤４との間の隙間Ｓ１を長手方向に流れ、薬剤の芳香成分及び消臭成分とともに、排出口２１７から排出され、揮散される。
【００３４】
以上の本実施形態によれば、流入口２１３と薬剤４との間に第１及び第２突起２１４，２１５を設けているため、流入口２１３と薬剤４の間に隙間Ｓ１を形成することができ、この隙間Ｓ１が排出口２１７と連通するように構成している。そのため、薬剤４の自重によって、下向きに開口する流入口２１３が薬剤４によって塞がれるのを防止するとともに、流入口２１３、隙間Ｓ１、排出口２１７をこの順で流れる空気の流路を確保成することができる。そのため、上方へ流れる空気を効果的に利用して薬剤成分を揮散させることができる。
【００３５】
特に、上記薬剤揮散装置を、自動車のデフロスターからの排気を利用するように用いる場合には、次のような利点がある。まず、エアコンの吹き出し口に取り付けられる薬剤揮散装置と比べ、エアコンの吹き出し口を塞がないので、エアコンの排気の邪魔にならない。また、薬剤揮散装置の代わりにドリンクホルダーを取り付けることができるため、エアコンの吹き出し口を有効に活用することができる。また、エアコンの吹き出し口に薬剤揮散装置を取り付けた場合には、エアコンをＯＮにするボタン及び吹き出し口を選択するボタンの２つを押さなければならないが、デフロスターの排気を利用する場合には、デフロスターをＯＮにするボタンのみを押せばよいため、操作が簡単になる。
【００３６】
さらに、エアコンの吹き出し口からの排気は横向きであるので、自動車内の空間全体に空気を行き渡らせるには効率的ではないが、上向きの排気を利用すると、空間全体に空気を効率的に広げやすいという利点がある。特に、薬剤揮散装置から上向きに空気を排出すると、薬剤成分は重く下方に落ちてくるため、最終的に空間の上方から下方まで薬剤成分を行き渡らせることができる。
【００３７】
また、連結部材３の設置部１に対する角度を調整することで、デフロスターの排気口Ｃと筐体２との間の距離を調整することができるため、薬剤成分の排出の度合いを調整することができる。例えば、排気口Ｃと筐体２との距離を近づけると、筐体２内に多量の空気が流入するため、薬剤成分を伴った空気を多量に排出することができる。一方、排気口Ｃと筐体２との距離を大きくすると、筐体２内に流入する空気の量が減少するため、薬剤成分の揮散を抑制することができる。したがって、特に、芳香剤の香りの量の調整に有効である。
【００３８】
また、本実施形態に係る装置は、主として、薬剤を収容する筐体１と設置部３とに分割されているため、一体的な構造よりも、一つ一つのパーツの嵩が小さくなっている。そのため、デフロスターの排気口周辺のような狭い空間にも配置することができる。すなわち、排気口Ｃの直上に筐体２を配置し、排気口Ｃの周辺に設置部１を配置できるため、フロントガラスによって上方の空間が制限されている排気口周辺にも容易に配置することが可能である。
【００３９】
以上、本発明の一実施形態について説明したが、本発明は上記実施形態に限定されるものではなく、その趣旨を逸脱しない限りにおいて、種々の変更が可能である。例えば、薬剤４や収容部材５を支持する突起２１４、２１５の形状や数は特には限定されず、少なくとも流入口２１３との間に隙間を形成できればよい。例えば、第２突起２１５を別個に設けることなく、筐体２の内壁面（例えば側面部２１２）で、収容部材５を支持するように構成することもでき、この場合には、筐体２の内壁面が本発明の支持部材となる。また、流入口２１３及び排出口２１７の数、形状は、それぞれ内部空間に空気を流入したり、内部空間から外部に空気を排出できる限りにおいては特には限定されない。さらに、上述した収容部材４を支持する突起２１５によって、薬剤を支持することもできるし、薬剤を支持する突起２１４によって収容部材４を支持するように構成することもできる。
【００４０】
上記実施形態では、薬剤４の例として芳香成分や消臭成分を有するものを挙げたが、本発明では、これ以外にも、例えば、殺虫成分や除菌成分など、空気とともに揮散するような成分を含む薬剤全般を用いることができる。また、薬剤４の形状や筐体２内で配置される位置も特には限定されない。但し、薬剤４が流入口２１３と対向する位置にあれば、空気が接触しやすいため、好ましい。
【００４１】
また、上記実施形態では、設置部１に対して、連結部材３を傾斜可能にしているが、筐体２に対して連結部材３を傾斜可能にすることができる。そのときの構成は、設置部１と連結部材３との関係を適用することができる。また、連結部材３は、設置部１に対する角度を調整し、筐体２と排気口Ｃとの位置関係を調整できるようにしているが、これ以外にも種々の構成が可能である。例えば、図１０に示すように、平面視で、設置部１に対して連結部材３を回転させることもできる。すなわち、接地面と略垂直な軸に対して連結部材３を回転させる調整機構を設けることができる。
【００４２】
また、連結部材３及び設置部１を図１１のようにすることもできる。この例では、回転部材３２の両側に設けられている支持部３４を断面楕円状に形成する。そして、支持部３４は、楕円の長辺が本体部３１と平行となるような向きにする。また、設置部１は、図示のように、上部に挿入通路１２５を設け、支持部３４が通過する第２通路１２５２の幅を、上部の入り口側（Ｙ１）で、支持部３４の断面の短辺よりも若干大きく長辺よりは小さくする。そして、第２通路１２５２の奥端部においては（Ｙ２）、その幅を支持部３４の断面の長辺よりも若干大きくする。これにより、図１１（ｂ）に示すように、断面楕円状である支持部３４の向きが、長辺が第２通路１２５２の向きと平行になったときのみ、連結部材３を設置部に対して、着脱することができる。このとき、連結部材３は、設置部１に対してほぼ垂直になるため、筐体２の流入口２１３も下向きにはならない。すなわち、この状態は通常は使用しない状態である。したがって、連結部材３の角度が通常は使用しない角度になったときに取り外し可能とすることで、通常の使用中の角度では設置部１から取り外しできないようになっている。このような簡単な構成で、連結部材３及び筐体２を設置部１に対して着脱可能とすることができる。
【００４３】
上記のように、設置部１は両面テープによって設置面に取り付けられることが多いが、頻繁に取り外しを行うと、設置面が汚れたり、粘着力が低下して脱落する可能性がある。そこで、薬剤を使い切って交換をする場合には、設置部１を残し、筐体２と連結部材３とを新しいものに交換すれば、設置面が汚れるのを防止することができる。図１１の例は、このような使用方法に適している。
【００４４】
あるいは、設置部１及び連結部材３を設けず、排気口Ｃを覆うように筐体２を直接、設置面には配置することもできる。また、筐体２に脚部を設け、設置面上で筐体２を支持することもできる。
【００４５】
上記実施形態においては、薬剤を収容部材５に収容した上で、この収容部材５を筐体２の内部に配置しているが、薬剤４が固形である場合には、収容部材５を設けず、薬剤４を筐体２の内部に直接配置することもできる。この場合には、第２突起２１５は不要となり、第１突起２１４によって、薬剤４と流入口２１３との間に隙間が形成される。なお、薬剤がゲル状又は液状である場合、収容部材５の開口部と蓋部材７との間にガス透過性のフィルムを配置することもできる。
【００４６】
また、上記実施形態では、排出口２１７を筐体２の側面に設けているが、流入口２１３と異なる向きに開口するように形成されていれば、その位置は、特には限定されない。例えば、図１２に示すように、薬剤４を挟んで流入口２１３とは反対側、つまり筐体２の上部側に配置することもできる。すなわち、流入口２１３から上向きに流入した空気が薬剤に接触した後、そのまま上方に向かって排出口２１７から排出されるように構成することができる。これにより、上方に向かう空気の流れを阻害することなく、薬剤成分を空気とともにスムーズに排出することができる。なお、この場合には、排出口２１７の形成位置は、筐体の上部であれば、特には限定されない（例えば、図１２の範囲Ｗ）。なお、図１１では、収容部材や薬剤を支持する突起を省略している。
【００４７】
また、図１３に示すように、流入口２１３に弁部材２８を設けることもできる。この弁部材２８は、流入口２１３を塞ぐ閉位置と、筐体２の外部からの正圧によって流入口２１３を開く開位置とを取り得るように構成することができる。その構成としては、種々の例が考えられるが、例えば、図１３（ａ）に示すように、ヒンジ２９によって弁部材２８が筐体２内部に揺動可能に取り付けられ、筐体２の内部空間側から流入口２１３を塞ぐようにする。そして、空気が流入しないとき、つまり、外部から圧力が加えられていないときは弁部材２８が流入口２１３を塞ぎ、空気が流入したとき、つまり圧力が作用した場合には、弁部材２８が開き、流入口２１３から筐体２内へ空気を流入させる。これにより、流入口２１３に空気が流入しないときは、弁部材２８によって流入口２１３が塞がれるため、不使用時に薬剤成分が余分に放出されるのを防止することができる。また、他の構成でも可能であり、例えば、図１３（ｂ）に示すように、流入口２１３をすり鉢状に形成し、内側から球状の弁部材２８を配置することもできる。これにより、空気が流入しないときは、弁部材２８によって、流入口２１３が塞がれ、空気が流入すると、弁部材２８が浮き上がって、流入口２１３が開く。
【００４８】
なお、上記実施形態において示された構造のうち、連結部材３と設置部１で示された機構を採用し、筐体２には少なくとも薬剤４が収容された構成を採用することもできる。すなわち、上記のような調整機構が採用されていれば、筐体の構成は特には限定されない構成を含むことができる。このような構成では、特に、デフロスターの排気口からの空気を利用する場合に有利である。すなわち、デフロスターの排気口は、自動車のフロントガラスの下端部付近の狭い空間に設けられているため、上記のような調整機構を有していると、薬剤を収容する筐体２と、自動車内に着脱可能に固定される設置部１とに分割され、一体的な構造よりも小型化することができる。そのため、狭い空間にも配置することができる。また、調整機構により、設置部１に対する筐体２の角度及び位置の少なくとも一方を調整できるため、デフロスターの排気口に対し、筐体２の流入口２１３の位置又は角度を調整することができる。これにより、排気口からの空気を筐体２の流入口２１３へ効果的に流入させることができ、良好な芳香作用を得ることができる。
【符号の説明】
【００４９】
２  筐体
２１３  流入口
２１４  第１突起（支持部材）
２１５  第２突起（支持部材）
２１７  排出口
７  蓋部材
【図１】
2014012050.tif 000003
【図２】
2014012050.tif 000004
【図３】
2014012050.tif 000005
【図４】
2014012050.tif 000006
【図５】
2014012050.tif 000007
【図６】
2014012050.tif 000008
【図７】
2014012050.tif 000009
【図８】
2014012050.tif 000010
【図９】
2014012050.tif 000011
【図１０】
2014012050.tif 000012
【図１１】
2014012050.tif 000013
【図１２】
2014012050.tif 000014
【図１３】
2014012050.tif 000015